【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
通過するベース液体に所望量の添加剤を供給するカートリッジであって、
通過するベース液体の流れを許容するようにその内部に画定されるベース液体流路を有するカートリッジ基部であって、添加剤の供給源を含むように前記カートリッジ基部の内部に画定される添加剤リザーバーを含み、前記添加剤リザーバーから前記ベース液体流路への添加剤の流れを許容し添加剤流路を更に画定する前記カートリッジ基部と、
前記カートリッジ基部と協働し、前記カートリッジ基部内に画定された注ぎ口液体流路を含む注ぎ口であって、前記注ぎ口液体流路が前記ベース液体流路から注ぎ口の供給端部に添加剤とベース液体の混合物の流れを許容するものである、前記注ぎ口と、
前記添加剤流路内に配置され、前記添加剤流路から前記ベース液体流路への添加剤の流れを調整する計量要素と
を含む前記カートリッジ。
【手続補正２】
【補正対象書類名】明細書
【補正対象項目名】００２９
【補正方法】変更
【補正の内容】
【００２９】
本発明の様々な態様におけるその他の変更及び変形の実施態様は、当業者には容易に明らかであり、本発明は本明細書に記載されている特定の実施形態に限定されないことを理解されたい。したがって、本明細書に記載されている概念の趣旨及び範囲内において、任意の及び全ての変更、変形又は等価物が本発明に含まれることが意図される。
例えば、本発明の参考形態は以下の通りである。
［参考形態１］
通過するベース液体に所望量の添加剤を供給するカートリッジであって、
通過するベース液体の流れを許容するようにその内部に画定されるベース液体流路を有するカートリッジ基部であって、添加剤の供給源を含むように前記カートリッジ基部の内部に画定される添加剤リザーバーを含み、前記添加剤リザーバーから前記ベース液体流路への添加剤の流れを許容し添加剤流路を更に画定する前記カートリッジ基部と、
前記カートリッジ基部と協働し、前記カートリッジ基部内に画定された注ぎ口液体流路を含む注ぎ口であって、前記注ぎ口液体流路が前記ベース液体流路から注ぎ口の供給端部に添加剤とベース液体の混合物の流れを許容するものである、前記注ぎ口と、
前記添加剤流路内に配置され、前記添加剤流路から前記ベース液体流路への添加剤の流れを調整する計量要素と
を含む前記カートリッジ。
［参考形態２］
前記計量要素は、前記注ぎ口上の表面を含んで構成される、参考形態１に記載のカートリッジ。
［参考形態３］
前記計量要素は、前記カートリッジ基部に画定される少なくとも一つのポートを含んで構成され、前記ポートは、前記添加剤流路の少なくとも一部を画定する、参考形態１に記載のカートリッジ。
［参考形態４］
前記注ぎ口は、前記カートリッジ基部と協働して前記カートリッジ基部に対して回転可能であり、前記添加剤流路から前記ベース液体流路へと流れる添加剤の流れを調整する、参考形態１に記載のカートリッジ。
［参考形態５］
前記添加剤リザーバーは、前記カートリッジ基部の内部環状壁と外部環状壁との間の環状空間として画定され、前記計量要素は、前記カートリッジ基部の前記内部環状壁に形成されたマトリックス状の開口を含む、参考形態１に記載のカートリッジ。
［参考形態６］
前記注ぎ口は、前記カートリッジ基部内の対応する環状部内に嵌合する環状脚を含み、前記計量要素は、前記注ぎ口の前記環状脚に、前記開口の一以上を選択的に閉塞する表面を更に含む、参考形態５に記載のカートリッジ。
［参考形態７］
前記ベース液体の逆流を防止する逆止弁を更に含む参考形態１に記載のカートリッジ。
［参考形態８］
前記注ぎ口液体流路内に配置され、前記添加剤及びベース液体の混合物の混合を促進する乱流生成突起部を更に含む参考形態１に記載のカートリッジ。
［参考形態９］
前記基部は、容器のねじ部分に対応して係合するねじ式カラーを含む、参考形態１に記載のカートリッジ。
［参考形態１０］
前記注ぎ口は、前記カートリッジ基部内で回転可能であり、前記注ぎ口は、複数の計量調整戻り止めを含み、前記カートリッジ基部は、前記計量調整戻り止めと係合するようになっており、前記カートリッジ基部に対して前記注ぎ口を一定の回転位置に固定する干渉突出部を含む、参考形態１に記載のカートリッジ。
［参考形態１１］
ベース液体を収容する内部空間を有する容器と、
前記容器を封止し、カートリッジをその内部に収容するようになっており、前記容器の内部空間から前記ベース液体が流れることを許容するようにその内部に画定されたキャップ流路を含むキャップと、
通過するベース液体に所望量の添加剤を供給するカートリッジと
を含む計量可能な添加剤供給システムであって、
前記カートリッジは、
i)  通過するベース液体の流れを許容するようにその内部に画定されるベース液体流路を有するカートリッジ基部であって、添加剤の供給源を含むように前記カートリッジ基部の内部に画定される添加剤リザーバーを含み、前記添加剤リザーバーから前記ベース液体流路への添加剤の流れを許容し添加剤流路を更に画定する前記カートリッジ基部と、
ii)  前記カートリッジ基部と協働し、前記カートリッジ基部内に画定された注ぎ口液体流路を含む注ぎ口であって、前記注ぎ口液体流路が前記ベース液体流路から注ぎ口の供給端部に添加剤とベース液体の混合物の流れを許容するものである、前記注ぎ口と、
iii)  前記添加剤流路内に配置され、前記添加剤流路から前記ベース液体流路への添加剤の流れを調整する計量要素と
を含む前記システム。
［参考形態１２］
前記計量要素は、前記注ぎ口上の表面を含んで構成される、参考形態１１に記載のシステム。
［参考形態１３］
前記計量要素は、前記カートリッジ基部に画定される少なくとも一つのポートを含んで構成され、前記ポートは、前記添加剤流路の少なくとも一部を画定する、参考形態１１に記載のシステム。
［参考形態１４］
前記注ぎ口は、前記カートリッジ基部と協働して前記カートリッジ基部に対して回転可能であり、前記添加剤流路から前記ベース液体流路へと流れる添加剤の流れを調整する、参考形態１１に記載のシステム。
［参考形態１５］
前記添加剤リザーバーは、前記カートリッジ基部の内部環状壁と外部環状壁との間の環状空間として画定され、前記計量要素は、前記カートリッジ基部の前記内部環状壁に形成されたマトリックス状の開口を含む、参考形態１１に記載のシステム。
［参考形態１６］
前記注ぎ口は、前記カートリッジ基部内の対応する環状部内に嵌合する環状脚を含み、前記計量要素は、前記注ぎ口の前記環状脚に、前記開口の一以上を選択的に閉塞する表面を更に含む、参考形態１５に記載のシステム。
［参考形態１７］
前記ベース液体の逆流を防止する逆止弁を更に含む参考形態１１に記載のシステム。
［参考形態１８］
前記注ぎ口液体流路内に配置され、前記添加剤及びベース液体の混合物の混合を促進する乱流生成突起部を更に含む参考形態１１に記載のシステム。
［参考形態１９］
前記基部は、容器のねじ部分に対応して係合するねじ式カラーを含む、参考形態１１に記載のシステム。
［参考形態２０］
前記注ぎ口は、前記カートリッジ基部内で回転可能であり、前記注ぎ口は、複数の計量調整戻り止めを含み、前記カートリッジ基部は、前記計量調整戻り止めと係合するようになっており、前記カートリッジ基部に対して前記注ぎ口を一定の回転位置に固定する干渉突出部を含む、参考形態１１に記載のシステム。